(57)【要約】【課題】アキュムレータの外表面に発生するドレン水処理を低コストで行えるようにした冷凍装置を提供すること。【解決手段】ユニットケーシング（２）内の、底フレーム（６）上に低圧側容器（例えば、アキュムレータ（１７）、低圧レシ−バ等）を収納した冷凍装置である。低圧側容器の側周面には、低圧側容器の外表面に発生したドレン水を受け留めるドレン樋（２０）が設けられている。そして、この冷凍装置は、ドレン樋（２０）に設けられたドレン水滴下口（２１）と、ドレン水滴下口（２１）の下方に位置するように、底フレーム（６）に形成されたドレン排水路（３１）とをさらに有する。【選択図】図１
2014137213.tif 000002
【特許請求の範囲】
【請求項１】
底フレーム（６）をベース部材としたユニットケーシング（２）内において、前記底フレーム（６）上に低圧側容器を収納した冷凍装置であって、
前記低圧側容器の外表面に発生したドレン水を受け留めるように前記低圧側容器の側周面に設けられたドレン樋（２０、４０）と、
前記ドレン樋（２０）の一定位置に設けられたドレン水滴下口（２１）と、
前記ドレン水滴下口（２１）の下方に位置するように前記底フレーム（６）に形成されたドレン排水路（３１）と
を有することを特徴とする冷凍装置。
【請求項２】
請求項１記載の冷凍装置において、
前記ドレン樋（２０）は、環状に形成されるとともに、前記低圧側容器の側周面の下方位置に設けられている
ことを特徴とする冷凍装置。
【請求項３】
請求項２記載の冷凍装置において、
前記ドレン樋（２０）は、弾性ゴムから成る
ことを特徴とする冷凍装置。
【請求項４】
請求項３記載の冷凍装置において、
前記ドレン樋（２０）は、前記ドレン水滴下口（２１）において環状を切断する切断部（２４）が形成されている
ことを特徴とする冷凍装置。
【請求項５】
請求項１〜４のいずれか１項に記載の冷凍装置において、
前記ドレン排水路（３１）には、ドレン排出口（３３）が設けられ、
このドレン排出口（３３）は、前記ドレン水滴下口（２１）の直下に設けられている
ことを特徴とする冷凍装置。
【請求項６】
請求項１〜５のいずれか１項に記載の冷凍装置において、
前記ドレン樋（２０）は、ドレン樋（２０）の底面（２３ａ）が傾斜するように形成されており、
前記ドレン水滴下口（２１）は、この底面（３１ａ）における最下位部に形成されている
ことを特徴とする冷凍装置。
【請求項７】
請求項１〜６のいずれか１項に記載の冷凍装置において、
前記ドレン水滴下口（２１）には、ドレン水滴下口（２１）の口縁を鉛直方向下方に延設した短管状の、ドレン水を滴下させる滴下ガイド（２２）が形成されている
ことを特徴とする冷凍装置。
【請求項８】
請求項１〜７のいずれか１項に記載の冷凍装置において、
前記ドレン水滴下口（２１）には、このドレン水滴下口（２１）と前記ドレン排水路（３１）内とを接続する導水管（５０）が取り付けられている
ことを特徴とする冷凍装置。
【請求項９】
請求項８記載の冷凍装置において、
前記導水管（５０）は、前記滴下ガイド（２１）に取り付けられている
ことを特徴とする冷凍装置。
【請求項１０】
請求項１〜９のいずれか１項に記載の冷凍装置は、セパレート型空気調和機における室外ユニット（１）である
ことを特徴とする冷凍装置。
【発明の詳細な説明】
【技術分野】
【０００１】
本発明は、冷凍装置に係り、特に、アキュムレータ等のように冷媒回路の低圧側に設置される容器に発生するドレン水対策を施した冷凍装置に関する。
【背景技術】
【０００２】
従来、空気調和機やショーケースなどの冷凍装置では、圧縮機への液冷媒の戻り（リキッドバック）を防止するためにアキュムレータが用いられている。このアキュムレータは、冷媒回路における低圧ガス冷媒が流通する回路中に位置するため、冷凍装置の運転中は常に冷却されている。このため、アキュムレータは、その外表面を断熱材で覆わない限り、外表面にドレン水が発生する。また、このドレン水は、そのまま放置しておくと自由に下方のケーシング（例えば室外ユニットの底フレーム）上に滴下し、滴下したドレン水がそのままケーシング上に滞留するため、冷凍装置のケーシングを広範囲に発錆させる原因となっていた。なお、このような発錆を防止する一般的な方法として、特許文献１にも記載されているように、アキュムレータの外表面全体を断熱材で覆い、ドレン水の発生を防止するという方法が一般的には行われている。
【０００３】
また、冷媒回路の低圧側に設置される容器として、例えば、特許文献２に記載されている低圧レシーバなるものが知られている。特許文献２に記載されている低圧レシーバは、メイン冷媒回路内に非共沸混合冷媒を封入した冷凍装置においてメイン冷媒回路を循環する非共沸混合冷媒の組成を調整するためのものである。より具体的には、冷媒回路内の冷媒を低沸点成分に富んだ組成とする場合に、高沸点成分に飛んだ液冷媒を滞留させるものである。なお、この低圧レシーバは、前記アキュムレータと同様の容器形状を成している。
【０００４】
このような低圧レシーバも、前記アキュムレータと同様に、低圧冷媒が流通する回路中に位置するため、冷凍装置の運転中は常に冷却されており、外表面にドレン水が発生する。したがって、このような容器についてもドレン水発生を防止する必要があることは、先のアキュムレータの場合と同一である。また、その具体的な方法も前記アキュムレータの場合と同様であった。そこで、本明細書においては、このようなアキュムレータや低圧レシーバのように冷媒回路の低圧側に設置される容器を「低圧側容器」と総称する。
【先行技術文献】
【特許文献】
【０００５】
【特許文献１】特開２００６−１０５５３５号公報
【特許文献２】特開２０００−９３５４号公報
【発明の概要】
【発明が解決しようとする課題】
【０００６】
しかしながら、前述のように低圧側容器を完全に覆ってドレン水の発生を防止することは、低圧側容器に接続される配管が存在すること、表面が局面であることなどにより難しいという問題があった。また、低圧側容器を断熱材で覆うこと自体、材料費や断熱材の取付作業費を含めるとコスト高になるという問題があった。このように、冷凍装置における低圧側容器の外表面に発生するドレン水の処理は、未だ改善の余地が残されていた。
【０００７】
本発明は、このような問題点を解消するためになされたものであって、低圧側容器の外表面に発生するドレン水処理を低コストで行えるようにした冷凍装置を提供することを目的とする。
【課題を解決するための手段】
【０００８】
請求項１記載の発明に係る冷凍装置は、底フレームをベース部材としたユニットケーシング内において、前記底フレーム上に低圧側容器を収納した冷凍装置であって、低圧側容器の外表面に発生したドレン水を受け留めるように前記低圧側容器の側周面に設けられたドレン樋と、前記ドレン樋の一定位置に設けられたドレン水滴下口と、前記ドレン水滴下口の下方に位置するように前記底フレームに形成されたドレン排水路とを有することを特徴とする。
【０００９】
このような構成によれば、低圧側容器の外表面に発生したドレン水は、ドレン樋に受け止められ、一定位置のドレン水滴下口から下方のドレン排水路に直接滴下される。また、滴下したドレン水は、底フレームに滞留することなく速やかに排水されるので、断熱材により低圧側容器を包囲することなく、広範囲に亘る底フレームにおける発錆を防止することができる。
【００１０】
請求項２載の発明は、請求項１記載の冷凍装置において、前記ドレン樋は、環状に形成されるとともに、前記低圧側容器の側周面の下方位置に設けられていることを特徴とする。
【００１１】
このような構成によれば、簡略な構造のドレン樋により、低圧側容器に発生する大半のドレン水を集めることができる。低圧側容器は、通常、管状の胴体部の上下を鏡板（椀状の蓋部材）で閉塞した容器を成している。したがって、下方位置としては胴体部材と鏡板との繋ぎ目の上方付近が好ましいと思われる。
【００１２】
請求項３記載の発明は、請求項２記載の冷凍装置において、前記ドレン樋は、弾性ゴムから成ることを特徴とする。
このような構成によれば、ドレン樋を引っ張るように拡径しながら、低圧側容器の上方から挿入することにより、低圧側容器の側周面に容易に取り付けることができる。また、低圧側容器への取付後において、ドレン水滴下口の位置を容易に調整することもできる。
【００１３】
請求項４記載の発明は、請求項３記載の冷凍装置において、前記ドレン樋が、前記ドレン水滴下口において環状を切断する切断部が形成されていることを特徴とする。
このような構成によれば、ドレン樋の切断部を開くことにより、低圧側容器に対し側方から容易に、ドレン樋を低圧側容器の周側面の所定位置に取りつけることができる。
【００１４】
請求項５記載の発明は、請求項１〜４のいずれか１項に記載の冷凍装置において、前記ドレン排水路には、ドレン排出口が設けられ、このドレン排出口は、前記ドレン水滴下口の直下に設けられていることを特徴とする。
【００１５】
このような構成によれば、ドレン水滴下口から滴下するドレン水が、直接ドレン排出口に滴下する割合が増加するので、ドレン排出口に連続するドレン排水路を大きくする必要がない。また、ドレン排出口に直接滴下するので周辺へのドレン水の飛び散りも抑制される。
【００１６】
請求項６記載の発明は、請求項１〜５のいずれか１項に記載の冷凍装置において、前記ドレン樋は、ドレン樋の底面が傾斜するように形成されており、前記ドレン水滴下口は、この底面における最下位部に形成されていることを特徴とする。
【００１７】
このような構成によれば、ドレン水の発生量が少ない場合においても、ドレン水を速やかにドレン水滴下口へ導くことができる。また、ドレン水の発生量が多い場合においてもドレン樋の深さを大きくすることなくドレン水をドレン水滴下口へ導くことができる。
【００１８】
請求項７記載の発明は、請求項１〜６のいずれか１項に記載の冷凍装置において、前記ドレン水滴下口には、ドレン水滴下口の口縁を鉛直方向下方に延設した短管状の、ドレン水を滴下させる滴下ガイドが形成されていることを特徴とする。
【００１９】
このような構成によれば、ドレン水の滴下時の拡散範囲を小さくしながらドレン水を鉛直方向下方に滴下させることができる。したがって、ドレン水の滴下を受けるドレン排水路を小さくすることができる。
【００２０】
請求項８記載の発明は、請求項１〜７のいずれか１項に記載の冷凍装置において、前記ドレン水滴下口には、このドレン水滴下口と前記ドレン排水路内とを接続する導水管が取り付けられていることを特徴とする。
【００２１】
このような構成によれば、低圧側容器の外表面に発生したドレン水が滴下ガイドを伝わって滴下するので、ドレン水を確実にドレン排水路に導くことができる。
請求項９記載の発明は、請求項８記載の冷凍装置において、前記導水管は、前記滴下ガイドに取り付けられていることを特徴とする。
【００２２】
このような構成によれば、滴下ガイドを利用することにより導水管を取り付けることが容易になる。例えば導水管として弾性のある樹脂ホースなどを用いれば、据付後のおいても容易に取りつけることも可能となる。
【００２３】
請求項１０記載の発明は、請求項１〜９のいずれか１項に記載の冷凍装置は、セパレート型空気調和機における室外ユニットであることを特徴とする。
このような構成によれば、セパレート型空気調和機における室外ユニットは、屋外に設置されるものであるので、低圧側容器の外表面に発生したドレン水をドレン樋に集め、これを底フレームに形成されたドレン排水路およびドレン排出口を経由して垂れ流しとして、ドレン水を処理することができる。これにより、コスト軽減効果を顕著にすることができる。
【発明の効果】
【００２４】
本発明によれば、冷凍装置に組み込まれた低圧側容器の外表面に発生したドレン水は、ドレン樋に集められ、ドレン樋から直接的にドレン排水路に滴下されるので、ドレン水の排水処理が速やかに行われる。このため、底フレームにおけるドレン水による発錆を大幅に軽減することができる。
【図面の簡単な説明】
【００２５】
【図１】本発明の実施の形態１に係る冷凍装置としてのセパレート型空気調和機における室外ユニットの概略構成図である。
【図２】同室外ユニットにおけるアキュムレータ下方部のドレン樋周りの拡大斜視図である。
【図３】同ドレン樋の図面であって、（ａ）は平面図であり、（ｂ）は（ａ）におけるＡ−Ａ断面図であり、（ｃ）は側面図である。
【図４】同ドレン樋周りの平面図である。
【図５】実施の形態２に係る冷凍装置に用いられるドレン樋の図面であって、（ａ）は平面図であり、（ｂ）は（ａ）におけるＢ−Ｂ断面図であり、（ｃ）は側面図である。
【図６】同実施の形態におけるドレン樋の取付要領図である。
【図７】実施の形態３に係る冷凍装置に用いられるアキュムレータ下方部のドレン樋周りの拡大斜視図である。
【図８】同アキュムレータにおけるドレン樋の断面図である。
【図９】実施の形態４に係る冷凍装置に用いられるアキュムレータ下方部のドレン樋周りの拡大斜視図である。
【図１０】同アキュムレータにおけるドレン樋の部品図であって、（ａ）は平面図であり、（ｂ）は（ａ）におけるＣ−Ｃ断面図である。
【図１１】実施の形態５に係る冷凍装置に用いられるアキュムレータ下方部のドレン樋周りの拡大側面図である。
【図１２】実施の形態６に係る冷凍装置に用いられるアキュムレータ下方部のドレン樋周りの拡大側面図である。
【図１３】実施の形態７に係る冷凍装置に用いられるアキュムレータ下方部のドレン樋周りの拡大側面図である。
【発明を実施するための形態】
【００２６】
以下図１〜図４を参照しながら、実施の形態１に係る冷凍装置について説明する。
この冷凍装置は、低圧側容器を備えた冷凍装置の一例であって、低圧側容器としてアキュムレータを備えたセパレート型空気調和機における室外ユニット１である。この室外ユニット１は、図１に示すように、略直方体箱形状のユニットケーシング２（２点鎖線で示す）の内部が、仕切板３により左右に分割されている。正面から見て左側は、送風機室４であり、右側は、機械室５である。
【００２７】
ユニットケーシング２は、底フレーム６をベース部材として、前板７、左右の側板８，背板９、天板１０等からなる。
送風機室４は、底フレーム６上に室外側熱交換器１２、室外送風機１３、送風機用電動機１４等を収納し、機械室５は、底フレーム６上に圧縮機１５、四路切換弁１６、アキュムレータ１７等を収納している。そして、この機械室５における側面前方及び背板の下方部には、室内ユニット（不図示）との連絡配管を選択的に機外へ導出し得る開口部（不図示）が形成されている。このために、アキュムレータ１７を下方から支持する支持台１８は、連絡配管を正面側から後方へ引き回し、背板９から機外へ排出するような場合の配管スペースを確保するように、アキュムレータ１７の下方に空間を形成している。
【００２８】
この実施の形態におけるアキュムレータ１７は、圧縮機１５への液冷媒の戻り（リキッドバック）を防止するためのものであって、冷媒回路図を図示しないが通常のものと同様に圧縮機１５の吸入配管、つまり圧縮機１５の吸入口と四路切換弁１６の吸入側ポートとを接続する吸入配管に接続されている。したがって、冷凍装置の運転中、アキュムレータ１７の内部には低温の低圧冷媒が流通しており、アキュムレータ１７は常に冷却されている。このため、アキュムレータ１７の外表面にはドレン水が発生する環境となっている。
【００２９】
そこで、本実施の形態においては、アキュムレータ１７の外表面に発生するドレン水が底フレーム６上に滴下することを略防止するために、アキュムレータ１７の側周面下方にドレン水を集めるためのドレン樋２０が取り付けられている。アキュムレータ１７は、図１に示すように、通常のものと同様、鉄製品であって、胴体部１７ａの上下を鏡板１７ｂ、１７ｃ（椀状の蓋部材）で閉塞した容器に形成されている。ドレン樋２０は、図２に示すように、下方の鏡板１７ｃの上端付近に取り付けられている。ドレン樋２０をこのような位置に取り付けることにより、アキュムレータ１７の外表面に発生するドレン水が胴体部１７ａの外表面を伝って下方に滴下する前にドレン樋２０で受け止められる。
【００３０】
ドレン樋２０は、天然ゴム、合成ゴムなどの弾性ゴムから成るものであって、図３に示すように、平面視環状であり、環状を成す部分の断面形状がＵ字形溝状に形成されたものである。また、ドレン樋２０は、アキュムレータ１７の胴体部１７ａの外周、すなわち、アキュムレータ１７の側周面に対し、軸方向例えば上方から弾性的に嵌めこみ、任意の位置で固定しうるように弾性ゴムの材料特性、並びに、ドレン樋２０の平面形状、断面溝形状これら形状の寸法等が定められている。
【００３１】
また、ドレン樋２０は、アキュムレータ１７の胴体部１７ａを伝って流れ落ちてきたドレン水を円滑に底フレーム６の所定位置へ滴下させるように環状の一箇所に平面視円形穴を成すドレン水滴下口２１を有している（図３（ａ）参照）。また、ドレン水滴下口２１には、ドレン水が滴下時の拡散を抑制するための滴下ガイド２２が設けられている。この滴下ガイド２２は、ドレン水滴下口２１の開口縁を下方に延設した短い管状のものである。
【００３２】
また、ドレン樋２０のＵ字形溝状の底壁２３は、図３（ｂ）、（ｃ）に示すように、ドレン水滴下口２１が最下部位置となり、その対象的な位置Ｘが最高部位置となるように、底壁２３の厚さを変化させて底面を傾斜させている。なお、Ｕ字形の側面の高さ及びその上下の端縁の位置は、アキュムレータ１７の環状全体を通じて一定となるように形成されている。
【００３３】
一方、図２に示すように、底フレーム６上にドレン排水路３１が形成されている。そして、このドレン排水路３１には、底フレーム６の内面より高さが一段低くなった排水面３２が設けられてり、排水面３２の中心部に、ドレン排出口３３が設けられている。ドレン排出口３３は、ドレン排水路３１に滴下したドレン水を速やかに排出するためのものである。なお、この実施の形態において、ドレン排出口３３から排出されたドレン水は、室外ユニット１の設置場所が屋外となることから、底フレーム６の下方に垂れ流しの状態とされている。
【００３４】
また、この実施の形態においては、図２及び図４に示すように、ドレン樋２０のドレン水滴下口２１の直下にドレン排出口３３が位置するように形成されている。すなわち、ドレン樋２０のドレン水滴下口２１の中心位置と、底フレーム６に形成されているドレン排出口３３の中心位置とは平面的に見て同一となるように形成されている。これにより、ドレン水滴下口２１から鉛直方向下方に滴下するドレン水は、周囲方向に広がるような滴下をしない限り、直接的にドレン排出口３３を経由して機外へ排出されることになる。
【００３５】
次に、本実施の形態に係るセパレート型空気調和機における室外ユニット１の作用について説明する。
本実施の形態に係るセパレート型空気調和機が運転されると、室外ユニット１において側面及び背面の外気吸入口（不図示）から白抜き矢印Ｆ１のように外気が吸入され、前面の吹出口から室外側熱交換器１２で熱交換された空気が白抜き矢印Ｆ２のように前面から吹き出される。この場合において、冷房運転であれ、暖房運転であれ、アキュムレータ１７の内部には低圧冷媒が流通する。これによりアキュムレータ１７は、機械室５内の空気より低温に冷却される。このため、アキュムレータ１７の外表面にドレン水が発生する。発生したドレン水は、下方のものを除いては、胴体部１７ａの外表面を伝って下方に滴下し、ドレン樋２０に流れ落ちる。ドレン樋２０に流れ落ちたドレン水は、ドレン樋２０の溝部を形成する底面２３ａがドレン水滴下口２１に向かって傾斜しているため（図３（ｂ）、（ｃ）参照）、円滑にドレン水滴下口２１の方へ流れ、このドレン水滴下口２１から鉛直方向下方に滴下される。
【００３６】
この場合において、ドレン水滴下口２１には管状の滴下ガイド２２が形成されているため、円滑にドレン水滴下口２１から下方へ流れ落ちるとともに、滴下ガイド２２により方向性が規制されるため、周辺への拡散が抑制される。したがって、滴下ガイド２２から滴下するドレン水が、ドレン排出口３３に向かって拡散したとしてもドレン排水路３１内に落ちるように調整されている。なお、ドレン樋２０の取付角度のずれによりドレン水滴下口２１の直下にドレン排出口３３が位置しない場合は、アキュムレータ１７の中心に対するドレン樋２０の取付角度を変更して、ドレン樋２０のドレン水滴下口２１が底フレーム６のドレン排出口３３の真上となるようにいつでも補正することができる。
【００３７】
このようにアキュムレータ１７の外表面に発生したドレン水は、ドレン樋２０を経由してドレン排水路３１に直接的に流される。したがって、ドレン水は、底フレーム６の広範囲を濡らせるように滴下しないので、底フレーム６に滞留する時間が短くなり、底フレーム６における広範囲な面積の発錆を抑制することができる。
【００３８】
本実施の形態に係る冷凍装置は、以上のように構成されているので、次のような効果を奏することができる。
（１）アキュムレータ１７の側周面に、アキュムレータ１７の外表面に発生したドレン水を受け留めるドレン樋２０が設けられるとともに、ドレン樋２０のドレン水滴下口２１の直下に底フレーム６のドレン排水路３１が形成されている。したがって、アキュムレータ１７の外表面に発生したドレン水は、ドレン樋２０に受け止められ、一定位置のドレン水滴下口２１から下方のドレン排水路３１に直接滴下される。また、滴下したドレン水は、滞留することなく速やかに排水されるので、アキュムレータ１７の外表面を覆う断熱材を省略しながら、広範囲に亘る底フレーム６における発錆を防止することができる。
【００３９】
（２）ドレン樋２０は、環状に形成されたものであって、アキュムレータ１７の側周面の下方位置に設けられるものであるので、簡略な構造により、アキュムレータ１７に発生するほぼ大半のドレン水を集めることができる。
【００４０】
（３）ドレン樋２０は、弾性ゴムから成るので、ドレン樋２０を引っ張るように拡径しながら、アキュムレータ１７の上方から挿入することにより、アキュムレータ１７に容易に取り付けることができる。また、アキュムレータ１７への取付後において、ドレン水滴下口２１の位置を容易に調整することもできる。
【００４１】
（４）ドレン排水路３１にはドレン排出口３３が設けられ、このドレン排出口３３がドレン水滴下口２１の直下に設けられている。したがって、ドレン水滴下口２１から滴下するドレン水が、直接ドレン排出口３３に滴下する割合が増加するので、ドレン排出口３３に連続するドレン排水路３１を大きくする必要がない。また、ドレン水がドレン排出口３３に直接滴下するので周辺へのドレン水の飛び散りが抑制される。
【００４２】
（５）ドレン樋２０は、ドレン樋２０の底面２３ａが傾斜するように形成されており、ドレン水滴下口２１は、この底面２３ａにおける最下位部に形成されている。したがって、ドレン水の発生量が少ない場合においても、ドレン水を速やかにドレン水滴下口へ導くことができる。また、ドレン水の発生量が多い場合においても、ドレン樋２０の深さを大きくすることなくドレン水をドレン水滴下口２１へ導くことができる。
【００４３】
（６）ドレン水滴下口２１には、ドレン水を鉛直方向に滴下させる為の滴下ガイド２２が形成されているので、ドレン水の滴下時の拡散範囲を小さくしながらドレン水を鉛直方向下方に滴下させることができる。したがって、ドレン水の滴下を受けるドレン排水路３１を小さくすることができる。
【００４４】
（７）実施の形態１に係る冷凍装置は、セパレート型空気調和機における室外ユニット１であって、室外ユニット１は屋外に設置されるものである。このため、アキュムレータ１７の外表面に発生したドレン水をドレン樋２０に集め、これを底フレーム６に形成されたドレン排水路３１およびドレン排出口３３を経由して垂れ流しとして、ドレン水を処理することができる。これにより、コスト軽減効果を顕著にすることができる。
【００４５】
（実施の形態２）
次に実施の形態２について、図５及び図６を参照しながら説明する。
実施の形態２に係る冷凍装置は、ドレン樋の形状を変更したものである。以下の実施の形態２における説明は、実施の形態１との相違点を中心に説明する。なお、実施の形態１における構成と同一又はこの構成に相当する構成要素には同一の符号を付し、その説明を省略又は簡略化する。
【００４６】
実施の形態２に係るドレン樋２０は、図５に示すように、実施の形態１に係る環状のドレン樋２０を、ドレン水滴下口２１においてドレン樋２０を切断した形状のものである。
この実施の形態におけるドレン樋２０は、図５に示すように、外部から力が作用しない自然状態においては実施の形態１と同様の環状を成すが、ドレン水滴下口２１の中心部において切断されたものである。図における符号２４は切断部を示す。
【００４７】
したがって、この実施の形態においては、ドレン水滴下口２１が半円状の孔２１ａ，２１ｂが当接した形状として形成されている。また、これに伴い。滴下ガイド２２が、半管状のガイド２２ａ，２２ｂが当接した状態で形成されている。また、このように形成されたドレン樋２０は、図５（ａ）に２点鎖線で示すように、ドレン水滴下口２１と対象の位置Ｘ点付近を中心として、切断部２４を弾性的に開くことができるように形成されている。
【００４８】
実施の形態２は、ドレン樋２０をこのように変更したものであり、このように構成することにより、実施の形態１における（１）〜（７）の効果に加えて、次の効果（８）を奏することができるものである。
【００４９】
（８）実施の形態２に係る冷凍装置によれば、アキュムレータ１７に取り付けるべきドレン樋２０が、ドレン水滴下口２１において環状を切断するように形成されている。したがって、この切断部２４を図５（ａ）に２点鎖線で示すように広げると、図６に示すように、アキュムレータ１７に対し側方から容易に、ドレン樋２０をアキュムレータ１７の周側面の所定位置に取り付けることができる。
【００５０】
（実施の形態３）
次に、実施の形態３について、図７及び図８を参照しながら説明する。
実施の形態３に係る冷凍装置は、ドレン樋の形状を変更したものである。以下の実施の形態２における説明は、実施の形態１との相違点を中心に説明する。なお、実施の形態１における構成と同一又はこの構成に相当する構成要素には同一の符号を付し、その説明を省略又は簡略化する。
【００５１】
実施の形態３に係るドレン樋２０は、図７に示すように、アキュムレータ１７の胴体部１７ａに金属製の樋部材４０を螺旋状に巻き付けたものである。樋部材４０は図８に示すように、鉄等の薄板金属製であって、アキュムレータ１７の胴体部に密接する接合壁４１と、樋の底面を成す水平壁４２と、樋の側面を形成する立上壁４３とを備えた断面形状のものである。旋回角度は少なくとも胴体部を１回転するように形成されており、その下端縁４４がドレン水滴下口２１を形成している（図７参照）。したがって、この下端縁４４の中心部がドレン排出口３３の真上に位置するように形成されている。
【００５２】
実施の形態３は、ドレン樋２０をこのように変更したものであり、このように構成することによっても、実施の形態１における（１），（２），（４），（５），（７）に相当する効果を奏することができる。
【００５３】
（実施の形態４）
次に、実施の形態４について、図９及び図１０を参照しながら説明する。
実施の形態４に係る冷凍装置は、実施の形態１において、ドレン樋の形状を変更したものである。以下の実施の形態４についての説明は、実施の形態１との相違点を中心に説明する。なお、実施の形態１における構成と同一又はこの構成に相当する構成要素には、実施の形態１におけると同一の符号を付し、その説明を省略又は簡略化する。
【００５４】
実施の形態４に係るドレン樋２０は、実施の形態１と同様に平面視環状であって、環状を成す部分の断面がＵ字形溝状をなしている。しかしながら、この実施の形態に係るドレン樋２０は、図９及び図１０（ｂ）に示すように、アキュムレータ１７の周側面に取り付けられた状態で、ドレン水滴下口２１に向けて底面２３ａを傾斜させるために、底壁２３自体が傾斜する構造とされている。なお、実施の形態１の場合は、ドレン水滴下口２１に向けて底面２３ａを傾斜させるために、Ｕ字形溝を形成する底壁２３の厚さを変化させていた。
【００５５】
実施の形態４は、以上のように構成されているので、実施の形態１に係る（１）〜（７）と同様の効果を奏することができる。また、これに加えて次の効果（９）を奏することができる。
【００５６】
（９）実施の形態４に係る冷凍装置によれば、ドレン樋２０の底壁２３を厚くすることなく底面２３ａを十分に傾斜させることができる。したがって、実施の形態１の場合に比し、底壁２３を薄くしたり、Ｕ字形溝部の側壁の高さＨ（図１０（ｂ）参照）を小さくしたりすることができる。また、こうすることにより、ドレン樋２０をアキュムレータ１７へ取り付ける際に、ドレン樋２０を拡径することが容易になる。
【００５７】
（実施の形態５）
次に、実施の形態５について、図１１を参照しながら説明する。
実施の形態５に係る冷凍装置は、実施の形態１において、ドレン樋のドレン水を導水管によりドレン排出口に導くようにしたものである。以下の実施の形態５についての説明は、実施の形態１との相違点を中心に説明する。なお、実施の形態１における構成と同一又はこの構成に相当する構成要素には、実施の形態１におけると同一の符号を付し、その説明を省略又は簡略化する。
【００５８】
実施の形態５に係るドレン樋２０は、実施の形態１に係るものと同一である。また、ドレン樋２０の下方に設けられるドレン排出口３３を含むドレン排水路３１の構成も実施の形態１と同一である。このような実施の形態１と同一の構成に対し、ドレン樋２０の滴下ガイド２２に導水管５０として弾性のある樹脂ホースを取り付け、その先端をドレン排出口３３内に挿入するようにしたものである。なお、滴下ガイド２２に対する樹脂ホースの取り付けは、差込式の取り付けで十分である。
【００５９】
実施の形態５は、以上のように構成されているので、実施の形態１に係る（１）〜(３)、(５)、（７）と同様の効果を奏することができる。また、これに加えて次の効果（１０）〜（１２）を奏することができる。
【００６０】
（１０）実施の形態５に係る冷凍装置によれば、ドレン樋２０内に受け止めたドレン水を、導水管５０により底フレーム６上に滴下させずにドレン排出口３３から直接排出することができる。これにより、ドレン水が滞留することによる底フレーム６の発錆をより確実に防止することができる。
【００６１】
（１１）また、導水管５０として弾性のある樹脂ホースを取り付けた場合には、ドレン樋２０の滴下ガイド２２とドレン排出口３３との平面上の位置ずれが多少あっても、この樹脂ホースを弾性変形させることにより、これを吸収することができる。
【００６２】
（１２）また、この実施の形態の場合には、導水管５０として弾性のある樹脂ホースを短管状の滴下ガイド２２に対し差し込み式で取り付けることができるので、取り付け作業が容易である。
【００６３】
（実施の形態６）
次に、実施の形態６について、図１２を参照しながら説明する。
実施の形態６に係る冷凍装置は、実施の形態５においてドレン排水路の構造を変更したものである。以下の実施の形態６についての説明は、実施の形態１及び実施の形態５との相違点を中心に説明する。なお、実施の形態１及び５における構成と同一又はこれら構成に相当する構成要素には、実施の形態１及び５におけると同一の符号を付し、その説明を省略又は簡略化する。
【００６４】
実施の形態６は、ドレン樋２０の構造が実施の形態１と同一である。また、ドレン樋２０のドレン水滴下口２１に導水管５０として樹脂ホースを取り付ける構造が実施の形態５と同一である。しかし、実施の形態６は、実施の形態１及び５の場合のように、ドレン樋２０のドレン水滴下口２１とドレン排水路３１におけるドレン排出口３３とを平面的に見て同心位置とすることができず離れている場合に適用できるようにしたものである。このために、実施の形態６においては、ドレン排水路３１は、導水管５０の直下にてドレン水を受ける水路３５を設け、この水路３５を使ってドレン水をドレン排出口３３まで移動させて、このドレン排出口３３からドレン水を機外へ流すようにしたものである。したがって、水路３５は、ドレン排出口３３から離れた位置でドレン水を受け、受けたドレン水をドレン排出口３３まで搬送する機能を有するものであって、実施の形態１及び５におけるドレン排出口３３が設けられている排水面３２よりは高く形成されている。換言すると、水路３５は、ドレン排出口３３が設けられている排水面３２より浅くてもよい。
【００６５】
実施の形態６は、以上のように構成されているので、実施の形態１に係る（１）〜(３)、(５)、（７）と同様の効果を奏することができる。また、これに加えて次の効果（１３））を奏することができる。
【００６６】
（１３）実施の形態６においては、ドレン樋２０の滴下ガイド２２とドレン排水路３１のドレン排出口３３とが平面的に見て離れた位置にある場合において、ドレン樋２０により受け止められたドレン水を、底フレーム６上に、撒き散らさずに排出することができる。なお、この場合において、滴下ガイド２２への導水管５０として樹脂ホースの取り付けは、実施の形態５の場合と同様に容易に行うことができる。
【００６７】
（実施の形態７）
次に、実施の形態７について、図１３を参照しながら説明する。
実施の形態７に係る冷凍装置は、実施の形態１において、ドレン排水路の構造を変更したものである。以下の実施の形態７についての説明は、実施の形態１との相違点を中心に説明する。なお、実施の形態１における構成と同一又はこの構成に相当する構成要素には、実施の形態１におけると同一の符号を付し、その説明を省略又は簡略化する。
【００６８】
実施の形態７は、ドレン樋２０のドレン水が、ドレン水滴下口２１から滴下してドレン排水路３１内に滴下したときに飛び跳ねてドレン排水路３１付近の底フレームを濡らすことを、防止するようにしたものである。このために、図１３に示すように、この実施の形態におけるドレン排水路３１は、ドレン排出口３３を中心として漏斗状の面３６に形成されている。
【００６９】
実施の形態７は、以上のように構成されているので、実施の形態１に係る（１）〜（７）と同様の効果を奏することができる。また、これに加えて次の効果（１４）を奏することができる。
【００７０】
（１３）実施の形態７においては、ドレン樋２０のドレン水が、ドレン排水路３１内に滴下したときに、ドレン排出口３３周囲の面が平面でなく漏斗状の面３６に形成されているので、飛び跳ねてドレン排水路３１付近の底フレーム６の内面を濡らすことが回避される。これにより、底フレーム６の発錆防止効果をさらに向上させることができる。
【００７１】
（変形例）
本発明に係る冷凍装置は、上記各実施形態に限定されることなく、以下の変更も可能である。この場合、以下の変形例は、対象となった実施形態についてのみ適用されるものでなく、他の実施の形態又は他の変形例と適宜組み合わせて実施することもできる。
【００７２】
・実施の形態１〜７は、低圧側容器としてアキュムレータ１７を用いた冷凍装置を例示している。しかし、低圧側容器として前述の低圧レシーバのような他の容器が用いられている場合には、これら容器についても前述のアキュムレータ１７と同様の処理を施せばよい。また、このような他の容器としては低圧レシーバ以外
・実施の形態１におけるドレン樋２０は、弾性ゴム製であるが、鉄板折り曲げなどの金属製としてもよい。また、これと同様に、実施の形態４，５，６におけるドレン樋２０を金属製としてもよい。
【００７３】
・実施の形態１において、ドレン樋２０を鉄製とし、これを下方の鏡板１７ｃと一体に成形したものとしてもよい。
・実施の形態１において、ドレン樋２０からのドレン水を、ドレン排水路３１におけるドレン排出口３３周辺の排水面３２に滴下されるようにしたものでもよい。
【００７４】
・実施の形態２において、切断部２４は、特に隙間が設けられていないが、図５（ａ）のように切断部２４を広げるときに拡げ易くするために、外部から力のかからない自然状態において切断部２４に隙間を形成するような形状としてもよい。
【００７５】
・実施の形態３において、ドレン樋２０は、鉄板折り曲げの金属製の樋部材４０により形成されている、この樋部材４０を弾性ゴムにより形成するようにしてもよい。このようにすれば、ドレン樋２０をアキュムレータ１７に組み付けた後において、実施の形態２の場合と同様に周側面の側方から取り付けることが可能になる。
【００７６】
・実施の形態６において、水路３５の底面とドレン排出口３３周辺の排水面３２とを同一高さの面として、つまり同一面として形成してもよい。
【符号の説明】
【００７７】
Ｘ…（ドレン水滴下口の対称の）位置、１…室外ユニット、２…ユニットケーシング、６…底フレーム、１７…アキュムレータ、２０…ドレン樋、２１…ドレン水滴下口、２２…滴下ガイド、２３…底壁、２３ａ…底面、２４…切断部、３１…ドレン排水路、３３…ドレン排出口、４４…下端縁（ドレン水滴下口）、５０…導水管。
【図１】
2014137213.tif 000003
【図２】
2014137213.tif 000004
【図３】
2014137213.tif 000005
【図４】
2014137213.tif 000006
【図５】
2014137213.tif 000007
【図６】
2014137213.tif 000008
【図７】
2014137213.tif 000009
【図８】
2014137213.tif 000010
【図９】
2014137213.tif 000011
【図１０】
2014137213.tif 000012
【図１１】
2014137213.tif 000013
【図１２】
2014137213.tif 000014
【図１３】
2014137213.tif 000015